(57)【要約】【課題】屋内においてサラウンド効果の高い４チャンネルサラウンド再生が行え、屋外でも２チャンネルのステレオ再生音楽を手軽に楽しめる音響再生システムの提供。【解決手段】スピーカ２，２を備える可搬型の再生機本体１と、再生機本体１に対して着脱自在なスピーカ６，６とから構成される。再生機本体１は、スピーカ６，６の装着の有無を検知する検知手段１６と、その検知結果に基づいてスピーカ２，２及びスピーカ６，６に対するステレオ音声信号Ｌ，Ｒ及びサラウンド音声信号ＳＬ，ＳＲの供給形態を制御する再生モード変換手段１７とを備える。再生モード変換手段１７は、検知手段１６の検知結果が装着無の場合、ステレオ音声信号Ｌ，Ｒをスピーカ２，２に供給し、検知手段１６の検知結果が装着有の場合、ステレオ音声信号Ｌ，Ｒをスピーカ２，２とスピーカ６，６のうち何れか一方に供給し、他方にサラウンド音声信号ＳＬ，ＳＲを供給する。【選択図】図４
2007274069.tif 000002
【特許請求の範囲】
【請求項１】
左右一組の第１のスピーカを備え、ステレオ音声信号、又は、ステレオ音声信号及びサラウンド音声信号を再生する可搬型の再生機本体と、この再生機本体に対して着脱自在な左右一組の第２のスピーカとから構成される音響再生システムであって、
前記再生機本体は、
前記第２のスピーカの装着の有無を検知する検知手段と、
この検知手段の検知結果に基づいて前記第１のスピーカ及び前記第２のスピーカに対する前記ステレオ音声信号及び前記サラウンド音声信号の供給形態を制御する再生モード変換手段と、を備え、
その再生モード変換手段は、
前記検知手段の検知結果が装着無の場合は、前記ステレオ音声信号、又は前記ステレオ音声信号と前記サラウンド音声信号とを合成した新たなステレオ音声信号を前記第１のスピーカに供給する一方、
前記検知手段の検知結果が装着有の場合は、前記ステレオ音声信号を前記第１、第２のスピーカのうち何れか一方のスピーカに供給すると共に、前記サラウンド音声信号を前記第１、第２のスピーカのうちの前記ステレオ音声信号が供給されていない他方のスピーカに供給する、ように制御する手段であることを特徴とする音響再生システム。
【発明の詳細な説明】
【技術分野】
【０００１】
本発明は、４チャンネルのスピーカを備えた音響再生システムに係わり、特にＣＤやＤＶＤといったメディアに記録されたマルチチャンネルのオーディオ信号を基に、２チャンネルのステレオ再生と４チャンネルのサラウンド再生を行えるようにした音響再生システムに関する。
【背景技術】
【０００２】
近年、ディスクやテープあるいはラジオ放送などオーディオのソース部分がデジタル化されたことにより、信号劣化のない高音質の音楽などを屋内外で手軽に聴取できるようになっている。
【０００３】
特に、近年では音響遅延や残響付加などの信号処理技術を用い、デジタル化されたオーディオソース（マルチチャンネルのオーディオ信号）を複数のスピーカで再生することにより、再生音場において原音場の広がり感や臨場感を高められるようにした音響再生システムが一般に広く普及している。
【０００４】
従来、係る音響再生システムとして、左右一対のメインスピーカを保持した主筐体の左右両側に、スピーカを有する副筐体を着脱自在に設け、その主筐体と左右の副筐体とをケーブルで接続し、それら筐体とは別体の再生装置から送信される音声信号をメインスピーカによりステレオ音声として再生し、副筐体のスピーカではサラウンド音声を再生するようにしたものが知られる（例えば、特許文献１）。
【０００５】
【特許文献１】特開平１０−３０４４９０号公報
【発明の開示】
【発明が解決しようとする課題】
【０００６】
然しながら、特許文献１のように主筐体に設けられるメインスピーカでステレオ再生を行うものでは、主筐体の横幅を大きくしてメインスピーカの間隔を大きくしなければ聴取者の前方左右における音の広がりが不十分となるので、２つの副筐体を聴取者の後方左右に配置してサラウンド再生を行ったとしても立体感のあるサラウンド効果を得難い。
【０００７】
又、特許文献１では、主筐体に対して２つの副筐体が着脱自在とされるが、それらはケーブルにより接続されるので、屋外で音楽を聴取する場合には主筐体に副筐体を装着したまま持ち出さなければならないので、全体の重量や体積が増して可搬性に欠けるという問題がある。
【０００８】
尚、主筐体に設けられるメインスピーカは専らステレオ再生に用いられるので、サラウンド再生用のスピーカを備える副筐体を主筐体に装着して屋外に持ち出したとしても、臨場感ある音場再生を行うことは困難である。
【０００９】
本発明は以上のような事情に鑑みて成されたものであり、その目的は屋内においてサラウンド効果の高い臨場感ある立体的な４チャンネルサラウンド再生が行え、屋外でも２チャンネルのステレオ再生音楽を手軽に楽しむことのできる可搬性に優れた音響再生システムを提供することにある。
【課題を解決するための手段】
【００１０】
本発明は上記目的を達成するため、
左右一組の第１のスピーカ２，２を備え、ステレオ音声信号Ｌ，Ｒ、又は、ステレオ音声信号Ｌ，Ｒ及びサラウンド音声信号ＳＬ，ＳＲを再生する可搬型の再生機本体１と、この再生機本体１に対して着脱自在な左右一組の第２のスピーカ６，６とから構成される音響再生システムであって、
前記再生機本体１は、
スピーカ６，６の装着の有無を検知する検知手段１６と、
この検知手段１６の検知結果に基づいてスピーカ２，２及びスピーカ６，６に対するステレオ音声信号Ｌ，Ｒ及びサラウンド音声信号ＳＬ，ＳＲの供給形態を制御する再生モード変換手段１７と、を備え、
その再生モード変換手段１７は、
検知手段１６の検知結果が装着無の場合は、ステレオ音声信号Ｌ，Ｒ、又はステレオ音声信号Ｌ，Ｒとサラウンド音声信号ＳＬ，ＳＲとを合成した新たなステレオ音声信号（Ｌ＋ＳＬ，Ｒ＋ＳＲ）をスピーカ２，２に供給する一方、
検知手段１６の検知結果が装着有の場合は、ステレオ音声信号Ｌ，Ｒをスピーカ２，２とスピーカ６，６のうち何れか一方のスピーカに供給すると共に、サラウンド音声信号ＳＬ，ＳＲをスピーカ２，２とスピーカ６，６のうちのステレオ音声信号Ｌ，Ｒが供給されていない他方のスピーカに供給する、ように制御する手段であることを特徴とする。
【発明の効果】
【００１１】
本発明に係わる音響再生システムによれば、第１のスピーカを左右両側に一体として備える再生機本体と、この再生機本体の左右両側に着脱自在に設けられる第２のスピーカとを有し、第２のスピーカが取り外された再生機本体が、第１のスピーカによるステレオ再生の可能なポータブルユニットとなる構成とされることから、再生機本体のみ屋外に持ち出して２チャンネルのステレオ再生音楽を、場所を問わず手軽に楽しむことができる。
【００１２】
又、再生機本体の左右両側に第２のスピーカを装着したときには、第１のスピーカと第２のスピーカのいずれか一方にステレオ音声信号が供給され、他方にサラウンド音声信号が供給されることから、立体的な音場を形成することができる。
【００１３】
特に、第２のスピーカにステレオ音声信号を供給し、第１のスピーカにサラウンド音声信号を供給する構成とすれば、再生機本体を介して左右に隔たった第２のスピーカによるステレオ再生音を実音像として聴取者の前方左右に広がりをもって定位させながら、第１のスピーカによるサラウンド再生音を虚音像として聴取者の側方や後方左右に定位させることが可能となり、このため再生機本体を横幅の狭い小型にしながら屋内でサラウンド効果の高い音場再生を行うことができる。
【発明を実施するための最良の形態】
【００１４】
以下、本発明の具体的構成を図面に基づき詳しく説明する。図１は本発明に係る音響再生システムの構成例を示した正面概略図であり、図２には再生機本体から第２のスピーカを取り外した状態を示す。
【００１５】
図１および図２において、１は可搬型の再生機本体であり、その左右両側にはステレオ兼サラウンド再生用のスピーカ２，２（第１のスピーカ）が一体として設けられる。本例において、スピーカ２，２はそれぞれ２つのユニットから成る２ウェイ構成であり、それらユニットは再生機本体１を構成する筐体の前面に取り付けられる。
【００１６】
又、再生機本体１の前面には、スピーカ２，２の間でＣＤやＤＶＤなどのメディアを挿入するためのスリット状の開口部３が設けられるほか、その開口部３に隣接して装置の動作状態などを表示するディスプレイ４、並びに各種の操作スイッチ類から成る操作部５が設けられる。
【００１７】
一方、再生機本体１の左右両側には、２チャンネルのステレオ音声信号（メイン信号）の再生用として別のスピーカ６，６（第２のスピーカ）が着脱自在に設けられる。本例において、スピーカ６，６は、筐体（エンクロージャ）の前面に２つのユニットを取り付けて成る２ウェイ構成であり、その高さは再生機本体１と略同一とされる。
【００１８】
特に、２つのスピーカ６，６は、再生機本体１を着座せしめるための座板７を介して再生機本体１の横幅と同じ間隔で連結されており、その座板７上に再生機本体１を着座せしめることにより該再生機本体１に対してスピーカ６，６が装着され、このとき再生機本体１とスピーカ６，６がコネクタにより電気的に結合するようになっている。
【００１９】
本例において、上記コネクタは図２および図３に示すように、座板７に垂直に立てられるプラグ８Ａと、そのプラグ８Ａに対応して再生機本体１の底面部に設けられるジャック８Ｂとで構成される。尚、プラグ８Ａは座板７内に通される信号線９を介してスピーカ６，６（正確には左右２つずつのスピーカユニット）に接続される一方、ジャック８Ｂは再生機本体１に内蔵される制御部１０に接続され、その制御部１０にはスピーカ２，２（正確には左右２つずつのスピーカユニット）が電気的に接続される。
【００２０】
そして、本発明に係る音響再生システムによれば、再生機本体１にスピーカ６，６を装着したとき、コネクタ（プラグ８Ａおよびジャック８Ｂ）の嵌合により、再生機本体１からスピーカ６，６に対して２チャンネルステレオ再生用のステレオ音声信号が入力供給され、再生機本体１のスピーカ２，２にはサラウンド再生用のサラウンド音声信号（サブ信号）が入力供給されるようにしてある。又、スピーカ６，６を取り外したときには、スピーカ６，６へのステレオ音声信号の入力供給が行われなくなる一方で、そのステレオ音声信号がスピーカ２，２に入力供給されるようにしてある。
【００２１】
特に、スピーカ６，６が取り外された状態では、再生機本体１はスピーカ６，６とはケーブルなどで繋がらない物理的に非接続な完全に独立したポータブルユニットとなり、その単体を屋外などに持ち出すことができる。
【００２２】
尚、再生機本体１には、その上面に手提げ用として把手を設けることが好ましい。又、スピーカ６，６を取り外したとき、スピーカ２，２に対する入力信号はスピーカ６，６に入力されるものと同じステレオ音声信号のみでもよいが、好ましくはそのステレオ音声信号にサラウンド音声信号を合成した新たなステレオ音声信号（合成信号）とすることがよい。
【００２３】
次に、図４は再生機本体に内蔵される制御部の構成例を示す。図４において、１１は制御部１０に接続する信号読出部であり、この信号読出部１１はＣＤやＤＶＤなどのディスクをはじめとするメディアを駆動して該メディアにデジタル信号として記録されたオーディオソースの読み出しを行う。１２はメディアから読み出したオーディオソースを、図示せぬデジタルフィルタなどを介して左右２チャンネルのステレオ音声信号Ｌ，Ｒやサラウンド音声信号ＳＬ，ＳＲを生成する信号処理部であり、この信号処理部１２により生成されたステレオ音声信号Ｌ，Ｒやサラウンド音声信号ＳＬ，ＳＲはＤ／Ａコンバータ１３によりＤ／Ａ変換され、次いでゲイン調整器１４によりゲイン調整された後、パワーアンプ１５を介してスピーカ２，２やスピーカ６，６に入力される。
【００２４】
尚、ステレオ音声信号Ｌ，Ｒは、実音像として聴取者の前方左右に定位するように作られるオーディオ信号であり、これは上記のように再生機本体１にスピーカ６，６が装着されているときには該スピーカ６，６に入力供給され、スピーカ６，６が取り外されているときにはスピーカ２，２に入力供給される。又、サラウンド音声信号ＳＬ，ＳＲは虚音像として聴取者の側方や後方左右に定位するように作られるオーディオ信号であり、これは上記のように再生機本体１にスピーカ６，６が装着されているときにはスピーカ２，２に入力供給され、好ましくは聴取者の前方中央部に定位するように作られる中央チャンネル信号Ｃを加えてスピーカ２，２に入力供給される。特に、本例によれば、スピーカ６，６が取り外されているとき、スピーカ２，２にはステレオ音声信号のみならず、サラウンド音声信号ＳＬ，ＳＲと中央チャンネル信号Ｃも入力供給される。
【００２５】
一方、図４において、１６は再生機本体１に対するスピーカ６，６の装着の有無を検知する検知手段であり、この検知手段１６は座板７や再生機本体１の底面部あるいは上記コネクタの部位に取り付けられるマイクロスイッチなどから構成される。
【００２６】
又、１７は検知手段１６の検知結果（出力信号の有無や大小）に基づいてスピーカ２，２とスピーカ６，６に対する入力信号（ステレオ音声信号及びサラウンド音声信号）の供給形態を制御する再生モード変換手段であり、この再生モード変換手段１７は、Ｄ／Ａコンバータ１３の後段に設けられるチャンネル切換スイッチ１７Ａと該切換スイッチを作動させるチャンネル制御部１７Ｂ（マイクロコンピュータなど）とで構成される。
【００２７】
そして、係る再生モード変換手段１７によれば、チャンネル制御部１７Ｂが検知手段１６の検知結果（出力信号）に変化があるか否かを常時監視し、これに変化が生じたときには図５に示されるように４ｃｈモードか否か（スピーカ６，６が装着された状態か否か）を判定し、４ｃｈモードと判定されれば切換スイッチ１７Ａを介して左右一組のスピーカ２，２と左右一組のスピーカ６，６との４ｃｈ再生モードによる音場再生が行われ、４ｃｈモードと判定されない場合には切換スイッチ１７Ａを介して左右一組のスピーカ２，２のみでの２ｃｈ再生モードによる音場再生が行われる。
【００２８】
図６は、４ｃｈ再生モード（スピーカ６，６が装着された状態）を示すブロック線図である。図６のように、スピーカ６，６が装着されている状態（スピーカ６，６の装着有）では、信号処理部１２から出力されるステレオ音声信号Ｌ，Ｒが切換スイッチ１７Ａを介してスピーカ６，６に入力供給されると共に、中央チャンネル信号Ｃを加えたサラウンド音声信号ＳＬ，ＳＲが切換スイッチ１７Ａを介してスピーカ２，２に入力供給される。
【００２９】
尚、図６のように信号処理部１２は、上記の図示せぬデジタルフィルタのほか、ＣＤなどに記録される２ｃｈのデジタルオーディオソースをステレオ音声信号Ｌ，Ｒとサラウンド音声信号ＳＬ，ＳＲと中央チャンネル信号Ｃとの５ｃｈに拡張する信号拡張部１２Ａ、ＤＶＤなどに記録されるマルチｃｈのデジタルオーディオソースをステレオ音声信号Ｌ，Ｒとサラウンド音声信号ＳＬ，ＳＲと中央チャンネル信号Ｃとにデコードするデコーダ部１２Ｂ、並びにサラウンド音声信号ＳＬ，ＳＲにそれぞれ中央チャンネル信号Ｃを加算する加算器１２Ｃなどを備えて構成される。
【００３０】
ここに、本例によれば、スピーカ６，６の装着有の場合において、該スピーカ６，６にステレオ音声信号Ｌ，Ｒが入力供給され、スピーカ２，２にサラウンド音声信号ＳＬ，ＳＲが供給されるようにしているが、その逆、つまりスピーカ６，６にサラウンド音声信号ＳＬ，ＳＲが入力供給され、スピーカ２，２にステレオ音声信号Ｌ，Ｒが入力供給されるようにしてもよい。
【００３１】
次に、図７は、２ｃｈ再生モード（スピーカ６，６が取り外された状態）を示すブロック線図である。図７で明らかなように、スピーカ６，６が取り外された状態（スピーカ６，６の装着無）では、そのスピーカ６，６に対する信号入力が行われなくなる一方、ポータブルユニットとなる再生機本体１に付属するスピーカ２，２には切換スイッチ１７Ａを介してステレオ音声信号Ｌ，Ｒと、サラウンド音声信号ＳＬ，ＳＲおよび中央チャンネル信号Ｃとが図のように混合、合成されて入力供給される。尚、図７において、１２Ｄはステレオ音声信号Ｌ，Ｒとサラウンド音声信号ＳＬ，ＳＲを混合する加算器である。
【００３２】
このように本発明に係る音響再生システムによれば、スピーカ６，６を取り外して再生機本体１のみを屋外などに持ち出しながらスピーカ２，２により高音質の音楽を聴取することができる。又、屋内においては、再生機本体１にスピーカ６，６を装着し、そのスピーカ６，６とスピーカ２，２とにより再生されるサラウンド効果の高い立体的な音場内に居ながら映画などを鑑賞することができる。尚、ＤＶＤを再生するとき、再生機本体１に設けられるディスプレイ４に映像が表示されるようにすることもできるが、再生機本体１には映像出力端子を設けて大画面のディスプレイ装置などを接続できるようにすることが好ましい。
【００３３】
以上、本発明について説明したが、信号読出部１１はディスクから信号を読み出すものに限らず、テープ式のメディアから信号を読み出すものでもよく、あるいは信号読出部１１に代えてラジオ受信機やテレビ受信機などを用いることもできる。
【００３４】
又、上記例では、スピーカ６，６が取り外されているときに、スピーカ２，２に対してステレオ音声信号Ｌ，Ｒほか、サラウンド音声信号ＳＬ，ＳＲと中央チャンネル信号Ｃが入力供給されるようにしたが、ステレオ音声信号Ｌ，Ｒのみ入力供給されるようにしてもよく、この場合でもスピーカ２，２により再生される高音質の音楽を聴取することができる。
【００３５】
更に、上記例ではスピーカ６，６の装着の有無を検知する検知手段１６として、マイクロスイッチなどを用いるとしたが、それ以外の方法として例えば再生機本体１のジャック８Ｂに微弱な電圧を印加しておき、その電圧値からメインスピーカ６，６の装着の有無を検知するようにしてもよい。
【図面の簡単な説明】
【００３６】
【図１】本発明に係る音響再生システムを示す正面概略図
【図２】再生機本体から第２のスピーカを取り外した状態を示す斜視図
【図３】再生機本体と第２のスピーカの接続形態を示す概略図
【図４】信号伝送経路を示すブロック図
【図５】再生モードを切り換える処理のフローチャート
【図６】第２のスピーカ装着時の信号伝送経路を示す説明図
【図７】第２のスピーカ取り外し時の信号伝送経路を示す説明図
【符号の説明】
【００３７】
１  再生機本体
２  第１のスピーカ
６  第２のスピーカ
８Ａ  プラグ
８Ｂ  ジャック
１０  制御部
１１  信号読出部
１２  信号処理部
１３  Ｄ／Ａコンバータ
１６  検知手段
１７  再生モード変換手段
１７Ａ  チャンネル切換スイッチ
１７Ｂ  チャンネル制御部
【図１】
2007274069.tif 000003
【図２】
2007274069.tif 000004
【図３】
2007274069.tif 000005
【図４】
2007274069.tif 000006
【図５】
2007274069.tif 000007
【図６】
2007274069.tif 000008
【図７】
2007274069.tif 000009